(57)【要約】【課題】レーザ光源で発生されるレーザビームのパワーを直接モニタせずに書き込みパワーを制御し、フレキシブルプリント基板の基板パターンを簡単とし、その面積も小さくしてコストダウンを図る。【解決手段】トラッキングエラー信号を検出するためのサイドビームの反射光のパワーに対応した信号、即ち加算信号（ＳＥ＋ＳＦ）を、サンプルホールド回路１８１Ｗに入力する。サイドビームは、書き込み用のメインビームより小さなパワーで、かつこのメインビームに対して先行した位置に照射されている。この加算信号（ＳＥ＋ＳＦ）を、レーザダイオードから発生されるレーザビームのパワーが書き込みパワーとなるタイミングでサンプルホールドする。そして、増幅器１８２Ｗで、サンプルホールドされた信号と書き込みパワー設定用の基準電圧Ｖrwとの誤差を反転増幅し、さらにループフィルタ１８３Ｗで帯域制限をして書き込みパワーのパワー設定信号ＰＳｗを得る。【選択図】        図７
2005078751.tif 000002
【特許請求の範囲】
【請求項１】
レーザビームを発生するレーザ光源と、
上記レーザ光源から発生されるレーザビームのパワーが記録データのレベルに応じて書き込みパワーまたは該書き込みパワーより小さな読み出しパワーとなるように上記レーザ光源を駆動するレーザ駆動手段と、
上記レーザ光源から発生されるレーザビームに基づいて、光ディスクに、書き込み用の第１のレーザビームを照射すると共に、少なくとも該第１のレーザビームに対して先行した位置に該第１のレーザビームよりパワーの小さな第２のレーザビームを照射するレーザビーム照射手段と、
上記光ディスクに照射された上記第２の光ビームの反射光のパワーを検出する第１の光検出手段と、
少なくとも、上記第１の光検出手段で得られる第１の検出信号のうち上記レーザ光源から発生されるレーザビームのパワーが上記書き込みパワーとなるタイミングの検出信号に基づいて、該書き込みパワーが所定値となるように上記レーザ駆動手段を制御するレーザパワー制御手段と
を備えることを特徴とする光ディスク装置。
【請求項２】
上記レーザビーム照射手段で上記光ディスクに照射される上記第２のレーザビームは、トラッキングエラー信号を検出するためのレーザビームである
ことを特徴とする請求項１に記載の光ディスク装置。
【請求項３】
上記レーザパワー制御手段は、さらに、上記第１の光検出手段で得られる第１の検出信号のうち上記レーザ光源から発生されるレーザビームのパワーが上記読み出しパワーとなるタイミングの検出信号に基づいて、該読み出しパワーが所定値となるように上記レーザ駆動手段を制御する
ことを特徴とする請求項１に記載の光ディスク装置。
【請求項４】
上記光ディスクに照射された上記第１の光ビームの反射光のパワーを検出する第２の光検出手段をさらに備え、
上記レーザパワー制御手段は、さらに、上記第２の光検出手段で得られる第２の検出信号のうち上記レーザ光源から発生されるレーザビームのパワーが上記読み出しパワーとなるタイミングの検出信号に基づいて、該読み出しパワーが所定値となるように上記レーザ駆動手段を制御する
ことを特徴とする請求項１に記載の光ディスク装置。
【請求項５】
レーザ光源から発生されるレーザビームのパワーを記録データのレベルに応じて書き込みパワーまたは該書き込みパワーより小さな読み出しパワーとし、該レーザ光源から発生されるレーザビームに基づいて光ディスクに書き込み用の第１のレーザビームを照射して該光ディスクに上記記録データを書き込む場合のレーザパワー制御方法であって、
上記レーザ光源から発生されるレーザビームに基づいて、上記第１のレーザビームに対して先行した位置に該第１のレーザビームよりパワーの小さな第２のレーザビームを照射し、
上記光ディスクに照射された上記第２の光ビームの反射光のパワーに対応した第１の検出信号を取得し、
少なくとも、上記取得された第１の検出信号のうち上記レーザ光源から発生されるレーザビームのパワーが上記書き込みパワーとなるタイミングの検出信号に基づいて、該書き込みパワーが所定値となるように制御する
ことを特徴とするレーザパワー制御方法。
【請求項６】
さらに、上記第１の検出信号のうち上記レーザ光源から発生されるレーザビームのパワーが上記読み出しパワーとなるタイミングの検出信号に基づいて、該読み出しパワーが所定値となるように制御する
ことを特徴とする請求項５に記載のレーザパワー制御方法。
【請求項７】
上記光ディスクに照射された上記第１の光ビームの反射光のパワーに対応した第２の検出信号をさらに取得し、
上記取得された第２の検出信号のうち上記レーザ光源から発生されるレーザビームのパワーが上記読み出しパワーとなるタイミングの検出信号に基づいて、該読み出しパワーが所定値となるように制御する
ことを特徴とする請求項５に記載のレーザパワー制御方法。
【発明の詳細な説明】
【技術分野】
【０００１】
この発明は、例えばＣＤ−Ｒ(Compact Disc-Recordable)ドライブ等に適用して好適な光ディスク装置およびそのレーザパワー制御方法に関する。詳しくは、レーザ光源から発生されるレーザビームに基づいて書き込み用の第１のレーザビームと共にこの第１のレーザビームに先行した位置にこの第１のレーザビームよりパワーの小さな第２のレーザビームを照射し、この第２のレーザビームの反射光のパワーの検出信号に基づいて、レーザ光源からのレーザビームの書き込みパワーが所定値となるように制御することによって、レーザ光源で発生されるレーザビームのパワーを直接モニタせずに書き込みパワーを良好に制御でき、コストダウンを図るようにした光ディスク装置等に係るものである。
【背景技術】
【０００２】
従来、光ディスク装置としての例えばＣＤ−Ｒドライブ等では、レーザ光源から発生されるレーザビームのパワーを記録データのレベルに応じて書き込みパワーまたは読み出しパワーとし、このレーザ光源から発生されるレーザビームをディスク（ＣＤ−Ｒ）に照射し、このディスクに記録データを書き込むようになっている。この場合、安定した書き込みが行われるように、レーザ光源から発生されるレーザビームのパワーが直接モニタされ、上述の書き込みパワーおよび読み出しパワーが所定値となるように制御される。そのため、光ピックアップ部の光学系には、レーザ光源からのレーザビームのパワーを直接モニタするモニター用のフォトディテクタが設けられている。
【０００３】
図１１は、従来の光ピックアップ部の光学系の構成例を示している。この光ピックアップ部は、レーザビームを発生するレーザ光源としてのレーザダイオード３０１と、このレーザダイオード３０１で発生されるレーザビームから３ビームを形成するグレーティング（回折格子）３０２と、このレーザビームの発散角度を適度な角度にするためのカップリングレンズ３０３とを有している。
【０００４】
また、光ピックアップ部は、ビームスプリッタ３０４と、レーザビームをディスク（ＣＤ−Ｒ）の記録面に照射するための対物レンズ３０５と、モニタ用のフォトディテクタ３０６とを有している。この場合、カップリングレンズ３０３よりビームスプリッタ３０４に入射されるレーザビームは、その一部が反射して対物レンズ３０５に入射され、他の一部（モニタ光）が透過してフォトディテクタ３０６に入射される。
【０００５】
また、光ピックアップ部は、アスティグマ法（非点収差法）によるフォーカスエラー信号を得る際に必要な円筒レンズ３０７と、再生信号、フォーカスおよびトラッキングエラー信号を得るための信号検出用のフォトディテクタ３０８を有している。ディスクから反射されるレーザビームは、対物レンズ３０５、ビームスプリッタ３０４を透過し、さらに円筒レンズ３０７を介してフォトディテクタ３０８に入射される。
【０００６】
このようにレーザ光源からのレーザビームのパワーを直接モニタするモニタ用のフォトディテクタを設けることは、特許文献１にも開示されている。なお、この特許文献１に記載の光ディスク記録再生装置は、モニタ用のフォトディテクタからの光量モニタ出力信号を記録再生光量パワーデータと比較し、その比較出力信号に基づいてレーザ光源からのレーザビームのパワーを制御することを基本とし、さらに記録再生ディスクからの反射光パワーを検出し、この反射光パワーと反射率データとから上述した記録再生光量パワーデータを補正することで、光量パワーをより精度よく制御するものである。
【０００７】
【特許文献１】特開平１−１２５７３７号公報（第５，６頁、図１）
【発明の開示】
【発明が解決しようとする課題】
【０００８】
図示せずも、光ピックアップ部において、上述したモニタ用のフォトディテクタ３０６と信号検出用のフォトディテクタ３０８とは、フレキシブルプリント基板上にマウントされる。この場合、モニタ用のフォトディテクタがレーザダイオード３０１の前方に配置されるものであり、これらフォトディテクタ３０６，３０８は近接して配置することは不可能であった。したがって、従来信号検出用のフォトディテクタの他にモニタ用のフォトディテクタを備える光ディスク装置にあっては、基板パターンが複雑になり、基板の面積も大きくなり、コストアップを招いている。
【０００９】
この発明の目的は、レーザ光源からのレーザビームのパワーを直接モニタせずに書き込みパワーを良好に制御し、コストダウンを図ることにある。
【課題を解決するための手段】
【００１０】
この発明に係る光ディスク装置は、レーザビームを発生するレーザ光源と、このレーザ光源から発生されるレーザビームのパワーが記録データのレベルに応じて書き込みパワーまたはこの書き込みパワーより小さな読み出しパワーとなるようにレーザ光源を駆動するレーザ駆動手段と、レーザ光源から発生されるレーザビームに基づいて、光ディスクに、書き込み用の第１のレーザビームを照射すると共に、少なくともこの第１のレーザビームに対して先行した位置にこの第１のレーザビームよりパワーの小さな第２のレーザビームを照射するレーザビーム照射手段と、光ディスクに照射された第２の光ビームの反射光のパワーを検出する第１の光検出手段と、少なくとも、この第１の光検出手段で得られる第１の検出信号のうちレーザ光源から発生されるレーザビームのパワーが書き込みパワーとなるタイミングの検出信号に基づいて、この書き込みパワーが所定値となるように上記レーザ駆動手段を制御するレーザパワー制御手段とを備えるものである。
【００１１】
また、この発明に係るレーザパワー制御方法は、レーザ光源から発生されるレーザビームのパワーを記録データのレベルに応じて書き込みパワーまたはこの書き込みパワーより小さな読み出しパワーとし、このレーザ光源から発生されるレーザビームに基づいて光ディスクに書き込み用の第１のレーザビームを照射してこの光ディスクに記録データを書き込む場合のレーザパワー制御方法であって、レーザ光源から発生されるレーザビームに基づいて、第１のレーザビームに対して先行した位置にこの第１のレーザビームよりパワーの小さな第２のレーザビームを照射し、光ディスクに照射された第２の光ビームの反射光のパワーに対応した第１の検出信号を取得し、少なくとも、第１の検出信号のうちレーザ光源から発生されるレーザビームのパワーが書き込みパワーとなるタイミングの検出信号に基づいて、この書き込みパワーが所定値となるように制御するものである。
【００１２】
この発明においては、レーザ光源、例えばレーザダイオードから発生されるレーザビームのパワーが、記録データのレベルに応じて書き込みパワーまたはこの書き込みパワーより小さな読み出しパワーとされ、光ディスクに記録データが書き込まれる。この場合、レーザ光源から発生されるレーザビームに基づいて、光ディスクに、書き込み用の第１のレーザビームが照射されると共に、少なくともこの第１のレーザビームに対して先行した位置に、この第１のレーザビームよりパワーの小さな第２のレーザビームが照射される。例えば、レーザ光源から発生されるレーザビームから、グレーティング（回折格子）により、第１、第２のレーザビームが生成される。
【００１３】
光ディスクに照射された第２のレーザビームの反射光のパワーに対応した第１の検出信号が取得される。そして、少なくとも、この第１の検出信号のうちレーザ光源から発生されるレーザビームのパワーが書き込みパワーとなるタイミングの検出信号に基づいて、この書き込みパワーが所定値となるように制御される。
【００１４】
この場合、第２のレーザビームのパワーは書き込み用の第１のレーザビームよりパワーが小さく、この第２のレーザビームの照射によっては、光ディスクに書き込みと同様の変化が起きて反射率が低下するということは生じない。また、この第２のレーザビームは、書き込み用の第１のレーザビームに対して先行した位置に照射されるものであり、第１のレーザビームの照射によって反射率が低下した、光ディスクの書き込み部分の影響も受けない。
【００１５】
そのため、第１の検出信号としてレーザ光源から発生されるレーザビームのパワーに対応したレベルの信号を取得でき、書き込みパワーを良好に制御できる。また、レーザ光源からのレーザビームのパワーを直接モニタするものでなく、そのためのモニタ用のフォトディテクタが不要であり、従ってフレキシブルプリント基板上の基板パターンが簡単になり、またその基板の面積を小さくでき、コストダウンを図ることができる。
【００１６】
例えば、第２のレーザビームは、トラッキングエラー信号を検出するためのレーザビームとされる。これにより、第２のレーザビームの反射光のパワーに対応した第１の検出信号を取得するためのフォトディテクタとして、トラッキングエラー信号を検出するためフォトディテクタを用いることができ、部品点数の低減により、さらにコストダウンを図ることができる。
【００１７】
なお、読み出しパワーの制御に関しては、例えば上述した第１の検出信号のうち、レーザ光源から発生されるレーザビームのパワーが読み出しパワーとなるタイミングの検出信号に基づいて制御される。
【００１８】
あるいは、この読み出しパワーの制御に関しては、光ディスクに照射された第１のレーザビームの反射光のパワーに対応した第２の検出信号が取得され、この第２の検出信号のうちレーザ光源から発生されるレーザビームのパワーが読み出しパワーとなるタイミングの検出信号に基づいて制御される。
【００１９】
レーザ光源から発生されるレーザビームのパワーが読み出しパワーであるときは、この第１のレーザビームの照射があっても、光ディスクに書き込みと同様の変化が起きて反射率が低下するということは生じない。そのため、第２の検出信号としてレーザ光源から発生されるレーザビームのパワーに対応したレベルの信号を取得でき、読み出しパワーを良好に制御できる。
【００２０】
また、上述したように第１のレーザビームのパワーは第２のレーザビームのパワーより大きいため、読み出しパワーのタイミングにおいて、第２の検出信号は、第１の検出信号より良好なＳ／Ｎで得ることが可能となる。したがって、このように第２の検出信号に基づいて読み出しパワーを制御するものにあっては、上述した第１の検出信号に基づいて読み出しパワーを制御するものと比べて、読み出しパワーを精度よく制御できる。
【発明の効果】
【００２１】
この発明によれば、レーザ光源から発生されるレーザビームに基づいて書き込み用の第１のレーザビームと共にこの第１のレーザビームに先行した位置にこの第１のレーザビームよりパワーの小さな第２のレーザビームを照射し、この第２のレーザビームの反射光のパワーの検出信号に基づいて、レーザ光源からのレーザビームの書き込みパワーが所定値となるように制御するものであり、レーザ光源からのレーザビームのパワーを直接モニタせずに書き込みパワーを良好に制御でき、フレキシブルプリント基板の基板パターンが簡単となり、その面積も小さくなり、コストダウンを図ることができる。
【発明を実施するための最良の形態】
【００２２】
以下、図面を参照しながら、この発明の実施の形態について説明する。図１は、実施の形態としてのＣＤ−Ｒドライブ１００の構成を示している。
【００２３】
このドライブ１００で取り扱うディスク（ＣＤ−Ｒ）１０１は、図示せずも、データ記録面上にスパイラル状に形成されたグルーブＧＲを有し、このグルーブＧＲをトラックとしてデータの記録再生が行われる。
【００２４】
ドライブ１００は、ディスク１０１を線速度一定（ＣＬＶ：Constant Linear Velocity）で回転駆動するためのスピンドルモータ１０２と、レーザダイオード、対物レンズ、フォトディテクタ、レーザドライバ等から構成される光ピックアップ部１０３と、この光ピックアップ部１０３のフォトディテクタの出力信号を処理して再生ＲＦ信号ＳRF、トラッキングエラー信号ＳTE、フォーカスエラー信号ＳFEを得るＲＦアンプ部１０５と、光ピックアップ部１０３の半導体レーザの発光パワーを設定するＡＰＣ(Automatic Power Control)回路１０４とを有している。
【００２５】
光ピックアップ部１０３を構成するレーザダイオードからのレーザビーム（図示せず）がディスク１０１の記録面に照射され、その反射光（戻り光）が光ピックアップ部１０３のフォトディテクタに照射される。ＲＦアンプ部１０５では、ＤＰＰ(Differential Push Pull)法によってトラッキングエラー信号ＳTEが形成されると共に、アスティグマ法（非点収差法）によってフォーカスエラー信号ＳFEが形成される。
【００２６】
また、ドライブ１００は、ＲＦアンプ部１０５より出力される再生ＲＦ信号ＳRFに対して波形等化、信号検出等の処理をしてＣＤデータを得るＲＦ信号処理回路１０６と、後述するＣＤエンコード／デコード部１１１より出力される記録データＲＤに対して記録補償を行って得られるタイミング信号を光ピックアップ部１０３のレーザドライバに供給するタイミング発生回路１０７とを有している。光ピックアップ部１０３のレーザダイオードより出力されるレーザビームは、タイミング発生回路１０７から供給されるタイミング信号に基づいて書き込みパワーまたはこの書き込みパワーより小さな読み出しパワーとされ、これによりディスク１０１に記録データＲＤが記録される。
【００２７】
また、ドライブ１００は、ＣＤエンコード／デコード部１１１およびＣＤ−ＲＯＭエンコード／デコード部１１２を有している。ＣＤエンコード／デコード部１１１は、再生時に、ＲＦ信号処理回路１０６より出力されるＣＤデータに対してＥＦＭ(Eight to fourteen Modulation)の復調処理をすると共にＣＩＲＣ(Cross Interleave Reed-Solomon Code)による誤り訂正処理をしてＣＤ−ＲＯＭデータを得るものである。また、このＣＤエンコード／デコード部１１１は、記録時に、ＣＤ−ＲＯＭエンコード／デコード部１１２より出力されるＣＤ−ＲＯＭデータに対してＣＩＲＣによるパリティを付加すると共にＥＦＭの変調処理をしてＣＤデータを得、さらにそのＣＤデータに対してＮＲＺＩ（Non Return to Zero Inverted）変換の処理をして記録データＲＤを得るものである。
【００２８】
ＣＤ−ＲＯＭエンコード／デコード部１１２は、再生時に、ＣＤエンコード／デコード部１１１より出力されるＣＤ−ＲＯＭデータに対して、デスクランブル処理、誤り訂正処理等を行って読み出しデータを得るものである。また、このＣＤ−ＲＯＭエンコード／デコード部１１２は、記録時に、後述するＳＣＳＩ／バッファコントローラ１１５より受け取った書き込みデータに対して、誤り訂正用のパリティの付加処理、スクランブル処理等を行ってＣＤ−ＲＯＭデータを得るものである。このＣＤ−ＲＯＭエンコード／デコード部１１２には、上述した処理を行うための作業用メモリとしてのＲＡＭ(Random Access Memory)１１３が接続されている。
【００２９】
また、ドライブ１００は、ホストコンピュータからのコマンドを受け取ってシステムコントローラに供給し、さらに、再生時に、ＣＤ−ＲＯＭエンコード／デコード部１１２より出力される読み出しデータをバッファメモリとしてのＲＡＭ１１４を介してホストコンピュータに転送すると共に、記録時に、ホストコンピュータより転送されてくる書き込みデータをＲＡＭ１１４を介してＣＤ−ＲＯＭエンコード／デコード部１１２に供給するためのＳＣＳＩ(Small Computer System Interface)／バッファコントローラ１１５を有している。
【００３０】
また、ドライブ１００は、ＲＦアンプ部１０５より出力されるフォーカスエラー信号ＳFEおよびトラッキングエラー信号ＳTEに基づいて、光ピックアップ部１０３のフォーカスサーボやトラッキングサーボを行うためのフォーカス／トラッキングサーボ制御回路１２１と、アクセス時に光ピックアップ部１０３を移動させるための送りサーボ制御回路１２２と、スピンドルモータ１０２の回転数が所定値となるように制御するためのスピンドルサーボ制御回路１２３とを有している。サーボ制御回路１２１〜１２３の動作は、ＣＰＵ（central processing unit）を備えてなるメカニカルコントローラ１２４によって制御される。
【００３１】
また、ドライブ１００は、システム全体の動作を制御するためのシステムコントローラ１２５を有している。このシステムコントローラ１２５は、ＣＰＵを備えている。
【００３２】
次に、光ピックアップ部１０３の光学系について説明する。図２は、光ピックアップ部１０３の光学系の構成を示している。この光学系には、レーザダイオード１５１で発生されるレーザビームのパワーを直接モニタするモニタ用のフォトディテクタ（図１１では、フォトディテクタ３０６）は設けられていない。
【００３３】
すなわち、光ピックアップ部１０３は、レーザビームを発生するレーザ光源としてのレーザダイオード１５１と、このレーザダイオード１５１で発生されるレーザビームから３ビームを形成するグレーティング（回折格子）１５２と、このレーザビームの発散角度を適度な角度にするためのカップリングレンズ１５３とを有している。グレーティング１５２では、０次光によるメインビームＢｍと、±１次光によるサイドビームＢs1，Ｂs2が形成される。この場合、サイドビームＢs1，Ｂs2のパワーは、メインビームＢｍのパワーより小さくされている。これにより、後述するようにメインビームＢｍによってディスク１０１に書き込みが行われる場合であっても、サイドビームＢs1，Ｂs2によってディスク１０１に書き込みが行われるということはない。ここで、メインビームＢｍは第１のレーザビームを構成し、サイドビームＢs1は第２のレーザビームを構成している。
【００３４】
また、光ピックアップ部１０３は、ビームスプリッタ１５４と、レーザビームをディスク（ＣＤ−Ｒ）１０１の記録面に照射するための対物レンズ１５５とを有している。この場合、カップリングレンズ１５３より出射されるレーザビームは、ビームスプリッタ１５４で反射されて対物レンズ１５５に入射される。
【００３５】
また、光ピックアップ部１０３は、アスティグマ法（非点収差法）によるフォーカスエラー信号を得る際に必要な円筒レンズ１５６と、再生信号、フォーカスおよびトラッキングエラー信号を得るための信号検出用のフォトディテクタ１５７とを有している。ディスク１０１から反射されるレーザビームは、対物レンズ１５５、ビームスプリッタ１５４を透過し、さらに円筒レンズ１５６を介してフォトディテクタ１５７に入射される。
【００３６】
ディスク１０１上には、図３に示すように、メインビームＢｍの照射によるメインスポットＳＰｍと、サイドビームＢs1，Ｂs2の照射によるサイドスポットＳＰs1，ＳＰs2とが形成される。この場合、サイドスポットＳＰs1，ＳＰs2は、メインスポットＳＰｍに対して、ラジアル方向の一の方向および他の方向に、それぞれ所定距離だけ離れた位置に形成される。
【００３７】
上述したように、本実施の形態では、ＤＰＰ法によるトラッキングエラー信号ＳTEを得るものであり、トラックピッチをＴｐとするとき、サイドスポットＳＰs1，ＳＰs2は、メインスポットＳＰｍに対して、ラジアル方向に、Ｔｐ／２（１８０゜）だけ離れた位置に形成される。このサイドスポットＳＰs1，ＳＰs2の位置調整は、グレーティング１５２（図２参照）の角度を調整することで行うことができる。
【００３８】
またこの場合、サイドビームＢs1はメインビームＢｍに対して先行した位置に照射され、従ってサイドスポットＳＰs1の位置はメインスポットＳＰｍに対して先行した位置に形成され、さらにメインビームＢｍはサイドビームＢs2に対して先行した位置に照射され、従ってメインスポットＳＰｍはサイドスポットＳＰs2に対して先行した位置に形成される。
【００３９】
また、フォトディテクタ１５７は、図３に示すように、１個の４分割フォトダイオード部１５７Ｍと、２個の２分割フォトダイオード部１５７Ｓ1，１５７Ｓ2とで構成される。なお、フォトダイオード部１５７Ｍは、４個のフォトダイオードＤａ〜Ｄｄから構成され、フォトダイオード部１５７Ｓ1は２個のフォトダイオードＤｅ，Ｄｆから構成され、フォトダイオード部１５７Ｓ2は２個のフォトダイオードＤｇ，Ｄｈから構成されている。
【００４０】
次に、図２に示す光ピックアップ部１０３の光学系の動作について説明する。レーザダイオード１５１からの発散光としてのレーザビームはグレーティング１５２に入射され、このグレーティング１５２によって３ビーム（Ｂｍ，Ｂs1，Ｂs2）が形成される。
【００４１】
そして、このグレーティング１５２より出射されるレーザビームは、カップリングレンズ１５３により適度な発散角度とされた後、ビームスプリッタ１５４で反射され、対物レンズ１５５を介してディスク１０１の記録面に照射される。この場合、ディスク１０１上には、図３に示すように、メインビームＢｍによるスポットＳＰｍと、サイドビームＢs1，Ｂs2によるスポットＳＰs1，ＳＰs2とが形成される。
【００４２】
また、ディスク１０１の記録面より反射されるレーザビーム（戻り光）は対物レンズ１５５およびビームスプリッタ１５４を介し、さらに円筒レンズ１５６を介してフォトディテクタ１５７に入射される。フォトディテクタ１５７を構成するフォトダイオード部１５７Ｍ，１５７Ｓ1，１５７Ｓ2には、図３に示すように、それぞれ上述したディスク１０１上に形成されたスポットＳＰｍ，ＳＰs1，ＳＰs2で反射されたレーザビームによるスポットＳＰｍ′，ＳＰs1′，ＳＰs2′が形成される。
【００４３】
図４は、光ピックアップ部１０３に備えられる、光検出装置としての集積回路であるＰＤＩＣ２００を示している。
【００４４】
このＰＤＩＣ２００は、光検出部２０１〜２０８を有している。これら光検出部２０１〜２０８には、それぞれフォトダイオードＤａ〜Ｄｈが接続されている。フォトダイオードＤａ〜Ｄｈは、それぞれ、入射された光（光信号）を電流信号に変換する。光検出部２０１〜２０８は、それぞれ、フォトダイオードＤａ〜Ｄｈで変換されて得られる電流信号を電圧信号に変換し、さらにその電圧信号を増幅して信号ＳＡ〜ＳＨとして出力する。
【００４５】
また、ＰＤＩＣ２００は、信号ＳＡ〜ＳＤを加算して、第２の検出信号としての加算信号（ＳＡ＋ＳＢ＋ＳＣ＋ＳＤ）を出力する加算器２１１と、信号ＳＥ，ＳＦを加算して、第１の検出信号としての加算信号（ＳＥ＋ＳＦ）を出力する加算器２１２とを有している。加算信号（ＳＡ＋ＳＢ＋ＳＣ＋ＳＤ）は再生ＲＦ信号を得るために使用され、加算信号（ＳＥ＋ＳＦ）は、レーザダイオード１５１（図２参照）から発生されるレーザビームのパワーを制御するために使用される。
【００４６】
図５は、ＲＦアンプ部１０５等の詳細構成を示している。ＲＦアンプ部１０５は、ＲＦアンプ１７１およびサーボ信号生成回路１７２を有している。ＲＦアンプ１７１は、光ピックアップ部１０３のＰＤＩＣ２００から出力される加算信号（ＳＡ＋ＳＢ＋ＳＣ＋ＳＤ）に対して増幅処理を行って再生ＲＦ信号ＳRFを生成する。
【００４７】
また、サーボ信号生成回路１７２は、光ピックアップ部１０３のＰＤＩＣ２００から出力される信号ＳＡ〜ＳＨを用いて、アスティグマ法によるフォーカスエラー信号ＳFEおよびＤＰＰ法によるトラッキングエラー信号ＳTEを生成する。フォーカスエラー信号ＳFEは、ＳFE＝（ＳＡ＋ＳＣ）−（ＳＢ＋ＳＤ）の演算式に基づいて生成される。
【００４８】
また、トラッキングエラー信号ＳTEは、図６の回路によって生成される。すなわち、減算器１８１Ｍで、信号ＳＡ，ＳＢの加算信号より、信号ＳＣ，ＳＤの加算信号が減算されて、メインスポットＳＰｍからの反射光によるプッシュプル信号Ｓppmが得られる。減算器１８１Ｓ1で、信号ＳＥより信号ＳＦが減算されて、サイドスポットＳＰs1からの反射光によるプッシュプル信号Ｓpps1が得られる。さらに、減算器１８１Ｓ2で、信号ＳＧより信号ＳＨが減算されて、サイドスポットＳＰs2からの反射光によるプッシュプル信号Ｓpps2が得られる。
【００４９】
また、加算器１８２で、ゲインＧ２の振幅調整器１８３を介されたプッシュプル信号Ｓpps2とプッシュプル信号Ｓpps1とが加算されて信号Ｓｓが得られる。そして、減算器１８４で、プッシュプル信号ＳppmよりゲインＧ１の振幅調整器１８５を介された加算信号Ｓｓが減算されて、トラッキングエラー信号ＳTEが得られる。
【００５０】
すなわち、トラッキングエラー信号ＳTEは、ＳTE＝｛（ＳＡ＋ＳＢ）−（ＳＣ＋ＳＤ）｝−Ｇ１｛（ＳＥ−ＳＦ）＋Ｇ２（ＳＧ−ＳＨ）｝の演算式に基づいて生成される。
【００５１】
図５に戻って、また、光ピックアップ部１０３のＰＤＩＣ２００から出力される加算信号（ＳＥ＋ＳＦ）は、ＡＰＣ回路１０４に供給される。このＡＰＣ回路１０４は、記録時には、加算信号（ＳＥ＋ＳＦ）に基づいて書き込みパワーおよび読み出しパワーのパワー設定信号ＰＳｗ，ＰＳｒを生成し、このパワー設定信号ＰＳｗ，ＰＳｒを光ピックアップ部１０３に備えられるレーザドライバ２７０に供給する。
【００５２】
これにより、記録時には、加算信号（ＳＥ＋ＳＦ）のうちレーザダイオード１５１（図２参照）で発生されるレーザビームのパワーが書き込みパワーおよび読み出しパワーとなるそれぞれのタイミングの信号が所定値となるように、当該書き込みパワーおよび読み出しパワーがそれぞれ設定される。
【００５３】
図７は、ＡＰＣ回路１０４の構成を示している。このＡＰＣ回路１０４は、サンプルホールド回路１８１Ｗ，１８１Ｒと、反転誤差信号増幅器１８２Ｗ，１８２Ｒと、ループフィルタ（ローパスフィルタ）１８３Ｗ，１８３Ｒとを有している。
【００５４】
サンプルホールド回路１８１Ｗは、加算信号（ＳＥ＋ＳＦ）を、サンプリングパルスＳＭＰ１によってサンプルホールドする。一方、サンプルホールド回路１８１Ｒは、加算信号（ＳＥ＋ＳＦ）を、サンプリングパルスＳＭＰ２によってサンプルホールドする。ここで、サンプリングパルスＳＭＰ１，ＳＭＰ２は、それぞれ、レーザダイオード１５１で発生されるレーザビームのパワーが書き込みパワー、読み出しパワーとなっている期間内で発生される。
【００５５】
すなわち、図８Ａは、記録データＲＤを示しており、図８Ｂはその記録データＲＤに対応したタイミング信号に基づいて切り換えられる、レーザダイオード１５１で発生されるレーザビームのパワー（レーザパワー）を示している。レーザパワーは、例えば記録データＲＤのハイレベルに対応して書き込みパワーとされ、記録データＲＤのローレベルに対応して読み出しパワーとされる。そして、図８Ｃ，Ｄは、それぞれ、タイミング発生回路１０７（図５参照）からＡＰＣ回路１０４のサンプルホールド回路１８１Ｗ，１８１Ｒに供給されるサンプリングパルスＳＭＰ１，ＳＭＰ２を示している。
【００５６】
増幅器１８２Ｗは、サンプルホールド回路１８１Ｗでサンプルホールドされた信号と書き込みパワー設定用の基準電圧Ｖrwとの誤差を反転増幅する。同様に、増幅器１８２Ｒは、サンプルホールド回路１８１Ｒでサンプルホールドされた信号と読み出しパワー設定用の基準電圧Ｖrrとの誤差を反転増幅する。ループフィルタ１８３Ｗ，１８３Ｒは、それぞれ、増幅器１８２Ｗ，１８２Ｒで得られる信号の帯域制限をし、パワー設定信号ＰＳｗ，ＰＳｒとして出力する。
【００５７】
図７に示すＡＰＣ回路１０４の動作を説明する。ＰＤＩＣ２００（図５参照）から出力される加算信号（ＳＥ＋ＳＦ）は、サンプルホールド回路１８１Ｗ，１８１Ｒに入力される。サンプルホールド回路１８１Ｗ，１８１Ｒには、それぞれ、タイミング発生回路１０７（図１、図５参照）から、サンプリングパルスＳＭＰ１，ＳＭＰ２が供給される。サンプルホールド回路１８１Ｗ，１８１Ｒでは、加算信号（ＳＥ＋ＳＦ）が、それぞれサンプリングパルスＳＭＰ１，ＳＭＰ２でサンプルホールドされる。
【００５８】
サンプルホールド回路１８１Ｗでサンプルホールドされた信号は増幅器１８２Ｗの一方の入力端子に入力され、増幅器１８２Ｗの他方の入力端子には書き込みパワー設定用の基準電圧Ｖrwが入力される。この増幅器１８２Ｗでは、サンプルホールドされた信号と基準電圧Ｖrwとの誤差が反転増幅される。この増幅器１８２Ｗで得られる信号はループフィルタ１８３Ｗに入力されて帯域制限され、書き込みパワーのパワー設定信号ＰＳｗが得られる。このループフィルタ１８３Ｗで得られるパワー設定信号ＰＳｗは、光ピックアップ部１０３のレーザドライバ２７０（図５参照）に供給される。
【００５９】
サンプルホールド回路１８１Ｒでサンプルホールドされた信号は増幅器１８２Ｒの一方の入力端子に入力され、増幅器１８２Ｒの他方の入力端子には読み出しパワー設定用の基準電圧Ｖrrが入力される。この増幅器１８２Ｒでは、サンプルホールドされた信号と基準電圧Ｖrrとの誤差が反転増幅される。この増幅器１８２Ｒで得られる信号はループフィルタ１８３Ｒに入力されて帯域制限され、読み出しパワーのパワー設定信号ＰＳｒが得られる。このループフィルタ１８３Ｒで得られるパワー設定信号ＰＳｒは、光ピックアップ部１０３のレーザドライバ２７０（図５参照）に供給される。
【００６０】
次に、図１に示すＣＤ−Ｒドライブ１００の動作を説明する。
ホストコンピュータよりシステムコントローラ１２５にデータライトコマンドが供給される場合には、データ書き込み（記録）が行われる。この場合、ホストコンピュータから転送されてきた書き込みデータは、ＳＣＳＩ／バッファコントローラ１１５よりＣＤ−ＲＯＭエンコード／デコード部１１２に供給される。そして、このＣＤ−ＲＯＭエンコード／デコード部１１２では、書き込みデータに対して誤り訂正用のパリティの付加処理、スクランブル処理等が行われてＣＤ−ＲＯＭデータが生成される。
【００６１】
ＣＤ−ＲＯＭエンコード／デコード部１１２で生成されたＣＤ−ＲＯＭデータは、ＣＤエンコード／デコード部１１１に供給される。そして、このＣＤエンコード／デコード部１１１では、ＣＤ−ＲＯＭデータに対してＣＩＲＣによるパリティが付加されると共にＥＦＭの変調処理が行われてＣＤデータが生成され、さらにそのＣＤデータに対してＮＲＺＩ変換の処理が施されて記録データＲＤが生成される。
【００６２】
そして、この記録データＲＤがタイミング発生回路１０７に供給され、このタイミング発生回路１０７から記録データＲＤに対応した、書き込みパワー、読み出しパワーのタイミングを示すタイミング信号がレーザドライバ２７０に供給される（図５参照）。したがって、光ピックアップ部１０３のレーザダイオード１５１より出力されるレーザビームは、タイミング発生回路１０７からのタイミング信号に基づいて書き込みパワーまたは読み出しパワーとされ、ディスク１０１に記録データＲＤが記録される。
【００６３】
この記録時には、光ピックアップ部１０３のＰＤＩＣ２００で得られる信号ＳＡ〜ＳＨが、ＲＦアンプ部１０５を構成するサーボ信号生成回路１７２（図５参照）に供給される。サーボ信号生成回路１７２では、信号ＳＡ〜ＳＨに基づいて、アスティグマ法によるフォーカスエラー信号ＳFEおよびＤＰＰ法によるトラッキングエラー信号ＳTEが生成される。このエラー信号ＳFE，ＳTEはフォーカス／トラッキングサーボ制御回路１２１に供給され、フォーカスおよびトラッキングの制御が行われる。
【００６４】
また、この記録時には、光ピックアップ部１０３のＰＤＩＣ２００で得られる加算信号（ＳＥ＋ＳＦ）が、ＡＰＣ回路１０４に供給される（図５参照）。そして、このＡＰＣ回路１０４には、タイミング発生回路１０７から、サンプリングパルスＳＭＰ１，ＳＭＰ２が供給される。そして、このＡＰＣ回路１０４では、上述したように、書き込みパワー、読み出しパワーの設定信号ＰＳｗ，ＰＳｒが得られる。このパワー設定信号ＰＳｗ，ＰＳｒは光ピックアップ部１０３のレーザドライバ２７０に供給され（図５参照）、これにより書き込みパワー、読み出しパワーのそれぞれにおけるレーザビームの光量が一定となるように制御される。
【００６５】
次に、ホストコンピュータよりシステムコントローラ１２５にデータリードコマンドが供給される場合には、データ読み出し（再生）が行われる。この場合、光ピックアップ部１０３のＰＤＩＣ２００から出力される加算信号（ＳＡ＋ＳＢ＋ＳＣ＋ＳＤ）に基づいて、ＲＦアンプ部１０５から再生ＲＦ信号ＳRFが得られる。
【００６６】
このＲＦアンプ部１０５で得られた再生ＲＦ信号ＳRFに対して、ＲＦ信号処理回路１０６で波形等化、信号検出等の処理が施されてＣＤデータが得られる。そして、このＣＤデータはＣＤエンコード／デコード部１１１に供給される。このＣＤエンコード／デコード部１１１では、再生ＣＤデータに対してＥＦＭの復調処理やＣＩＲＣによる誤り訂正処理が行われて、ＣＤ−ＲＯＭデータが得られる。
【００６７】
ＣＤエンコード／デコード部１１１で得られたＣＤ−ＲＯＭデータは、ＣＤ−ＲＯＭエンコード／デコード部１１２に供給され、デスクランブル処理、誤り訂正処理等が行われて読み出しデータが得られる。そして、この読み出しデータが、ＳＣＳＩ／バッファコントローラ１１５の制御によって、バッファメモリとしてのＲＡＭ１１４を介して、所定のタイミングでホストコンピュータに転送される。
【００６８】
この再生時にも、光ピックアップ部１０３のＰＤＩＣ２００から信号ＳＡ〜ＳＨが得られ、上述した記録時と同様にして、エラー信号ＳFE，ＳTEが生成され、フォーカスおよびトラッキングの制御が行われる。なお、この再生時において、レーザダイオード１５１で発生されるレーザビームのパワー（読み出しパワー）は一定とされる。
【００６９】
このように本実施の形態においては、サイドビームＢs1の反射光のパワーに対応した信号、すなわち加算信号（ＳＥ＋ＳＦ）が取得される。そして、記録時には、この加算信号（ＳＥ＋ＳＦ）のうち、レーザダイオード１５１から発生されるレーザビームのパワーが書き込みパワーとなるタイミングの信号に基づいて、書き込みパワーの設定信号ＰＳｗが形成され、書き込みパワーが所定値となるように制御される。
【００７０】
この場合、上述したように、サイドビームＢs1のパワーは書き込み用のメインビームＢｍのパワーより小さく、このサイドビームＢs1の照射によっては、ディスク１０１に書き込みと同様の変化が起きて反射率が低下するということは生じない。また、このサイドビームＢs1は、メインビームＢｍに対して先行した位置に照射されるものであり、メインビームＢｍの照射によって反射率が低下した、ディスク１０１の書き込み部分の影響を受けない。
【００７１】
そのため、加算信号（ＳＥ＋ＳＦ）として、レーザダイオード１５１から発生されるレーザビームのパワーに対応したレベルの信号を取得でき、書き込みパワーを良好に制御できる。また、従来（図１１参照）のようにモニタ用のフォトディテクタ３０６を用いてレーザダイオードからのレーザビームのパワーを直接モニタするものでなく、従って光ピックアップ部１０３におけるフレキシブルプリント基板上の基板パターンが簡単になり、またその基板の面積を小さくでき、コストダウンを図ることができる。
【００７２】
また、サイドビームＢs1はトラッキングエラー信号を検出するためのレーザビームであり、サイドビームＢs1の反射光のパワーに対応した信号、すなわち加算信号（ＳＥ＋ＳＦ）を取得するための専用のフォトディテクタを用意する必要がない。したがって、モニタ用のフォトディテクタが不要となる分だけ、さらにコストダウンを図ることができる。
【００７３】
なお、上述実施の形態において、記録時には、加算信号（ＳＥ＋ＳＦ）のうち、レーザダイオード１５１から発生されるレーザビームのパワーが読み出しパワーとなるタイミングの信号に基づいて、読み出しパワーの設定信号ＰＳｒが形成され、読み出しパワーが所定値となるように制御される。しかし、この読み出しパワーの制御を、加算信号（ＳＡ＋ＳＢ＋ＳＣ＋ＳＤ）に基づいて行うようにしてもよい。図９は、その場合における、ＲＦアンプ部１０５等の詳細構成を示している。この図８において、図５と対応する部分には同一符号を付し、その詳細説明は省略する。
【００７４】
この場合、光ピックアップ部１０３のＰＤＩＣ２００より出力される加算信号（ＳＡ＋ＳＢ＋ＳＣ＋ＳＤ）は、ＲＦアンプ部１０５のＲＦアンプ１７１に供給される他、ＡＰＣ回路１０４Ａにも供給される。また、このＡＰＣ回路１０４Ａには、光ピックアップ部１０３のＰＤＩＣ２００より出力される加算信号（ＳＥ＋ＳＦ）も供給される。さらに、このＡＰＣ回路１０４Ａには、タイミング発生回路１０７からサンプリングパルスＳＭＰ１，ＳＭＰ２が供給される。
【００７５】
このＡＰＣ回路１０４Ａは、記録時には、加算信号（ＳＥ＋ＳＦ）に基づいて書き込みパワーのパワー設定信号ＰＳｗを設定し、また加算信号（ＳＡ＋ＳＢ＋ＳＣ＋ＳＤ）に基づいて読み出しパワーのパワー設定信号ＰＳｒを生成し、これらパワー設定信号ＰＳｗ，ＰＳｒを光ピックアップ部１０３のレーザドライバ２７０に供給する。
【００７６】
図１０は、ＡＰＣ回路１０４Ａの構成を示している。この図１０において、図７と対応する部分には同一符号を付して示している。
【００７７】
このＡＰＣ回路１０４Ａも、サンプルホールド回路１８１Ｗ，１８１Ｒと、反転誤差信号増幅器１８２Ｗ，１８２Ｒと、ループフィルタ（ローパスフィルタ）１８３Ｗ，１８３Ｒとを有している。
【００７８】
サンプルホールド回路１８１Ｒは、加算信号（ＳＡ＋ＳＢ＋ＳＣ＋ＳＤ）を、サンプリングパルスＳＭＰ２によってサンプルホールドする。このサンプリングパルスＳＭＰ２は、上述したようにレーザダイオード１５１で発生されるレーザビームのパワーが読み出しパワーとなっている期間内で発生される（図８Ｂ，Ｄ参照）。
【００７９】
増幅器１８２Ｒは、サンプルホールド回路１８１Ｒでサンプルホールドされた信号と読み出しパワー設定用の基準電圧Ｖrr′との誤差を反転増幅する。この基準電圧Ｖrr′は、サンプルホールド回路１８１Ｒでサンプルホールドされる加算信号（ＳＡ＋ＳＢ＋ＳＣ＋ＳＤ）に合わせて、上述の図７に示すＡＰＣ回路１０４における読み出しパワー設定用の基準電圧Ｖrrが変更されたものである。
【００８０】
図１０に示すＡＰＣ回路１０４Ａのその他は、図７に示すＡＰＣ回路１０４と同様に構成される。
【００８１】
図１０に示すＡＰＣ回路１０４Ａの動作を説明する。サンプルホールド回路１８１Ｗ、増幅器１８２Ｗおよびループフィルタ１８３Ｗに係る、書き込みパワーのパワー設定信号ＰＳｗを得る動作は、上述の図７に示すＡＰＣ回路１０４における動作と同様であり、従ってここでは、サンプルホールド回路１８１Ｒ、増幅器１８２Ｒおよびループフィルタ１８３Ｒに係る、読み出しパワーのパワー設定信号ＰＳｒを得る動作のみを説明する。
【００８２】
ＰＤＩＣ２００（図５参照）から出力される加算信号（ＳＡ＋ＳＢ＋ＳＣ＋ＳＤ）は、サンプルホールド回路１８１Ｒに入力される。サンプルホールド回路１８１Ｒには、タイミング発生回路１０７（図５参照）から、サンプリングパルスＳＭＰ２が供給される。サンプルホールド回路１８１Ｒでは、加算信号（ＳＡ＋ＳＢ＋ＳＣ＋ＳＤ）がサンプリングパルスＳＭＰ２でサンプルホールされる。
【００８３】
サンプルホールド回路１８１Ｒでサンプルホールドされた信号は増幅器１８２Ｒの一方の入力端子に入力され、増幅器１８２Ｒの他方の入力端子には読み出しパワー設定用の基準電圧Ｖrr′が入力される。この増幅器１８２Ｒでは、サンプルホールドされた信号と基準電圧Ｖrr′との誤差が反転増幅される。そして、この増幅器１８２Ｒで得られる信号はループフィルタ１８３Ｒに入力されて帯域制限され、読み出しパワーのパワー設定信号ＰＳｒが得られる。このループフィルタ１８３Ｒで得られるパワー設定信号ＰＳｒは、光ピックアップ部１０３のレーザドライバ２７０（図５参照）に供給される。
【００８４】
上述したように、図１０のＡＰＣ回路１０４Ａでは、加算信号（ＳＡ＋ＳＢ＋ＳＣ＋ＳＤ）に基づいて読み出しパワーを制御するものである。レーザダイオード１５１（図２参照）から発生されるレーザビームのパワーが読み出しパワーであるときは、ディスク１０１にメインビームＢｍの照射があっても、このディスク１０１に書き込みと同様の変化が起きて反射率が低下するということは生じない。そのため、このメインビームＢｍの反射光のパワーに対応した信号、すなわち加算信号（ＳＡ＋ＳＢ＋ＳＣ＋ＳＤ）として、レーザダイオード１５１から発生されるレーザビームのパワーに対応したレベルの信号を取得でき、読み出しパワーを良好に制御できる。
【００８５】
また、メインビームＢｍのパワーはサイドビームＢs1のパワーより大きいため、レーザビームのパワーが読み出しパワーのタイミングにおいて、加算信号（ＳＡ＋ＳＢ＋ＳＣ＋ＳＤ）は、加算信号（ＳＥ＋ＳＦ）より良好なＳ／Ｎで得ることが可能である。したがって、図１０のＡＰＣ回路１０４Ａのように加算信号（ＳＡ＋ＳＢ＋ＳＣ＋ＳＤ）に基づいて読み出しパワーを制御するものにあっては、図７のＡＰＣ回路１０４のように加算信号（ＳＥ＋ＳＦ）に基づいて読み出しパワーを制御するものと比べて、読み出しパワーを精度よく制御できる。
【００８６】
また、上述実施の形態においては、トラッキングエラー信号ＳTEをＤＰＰ法で得るものであって、そのためにメインビームＢｍの他に、サイドビームＢs1，Ｂs2をディスク１０１に照射し、そしてその一方のサイドビームＢs1を第２のレーザビームとして利用している。しかし、この発明は、ディスク１０１にサイドビームＢs1，Ｂs2を照射することなくトラッキングエラー信号ＳTEを得る構成の光ディスク装置にも同様に適用できることは勿論である。
【００８７】
また、上述実施の形態は、この発明をＣＤ−Ｒドライブ１００に適用したものであるが、この発明はその他の同様の構成の光ディスク装置、例えばＤＶＤ−Ｒ／ＲＷドライブ等にも同様に適用できる。
【産業上の利用可能性】
【００８８】
この発明は、レーザ光源で発生されるレーザビームのパワーを直接モニタすることなく書き込みパワーを良好に制御でき、コストダウンを図ることができるものであり、ＣＤ−Ｒドライブ、ＤＶＤ−Ｒ／ＲＷ等で書き込みパワーを制御する用途に適用できる。
【図面の簡単な説明】
【００８９】
【図１】実施の形態としてのＣＤ−Ｒドライブの構成を示すブロック図である。
【図２】光ピックアップ部の光学系の構成を示す図である。
【図３】ディスク上のスポットとフォトディテクタ上のスポット（ＤＰＰ法）を示す図である。
【図４】光ピックアップ部内のＰＤＩＣの回路構成を示す図である。
【図５】ＲＦアンプ部等の詳細を説明するためのブロック図である。
【図６】トラッキングエラー信号を生成する回路を示すブロック図である。
【図７】ＡＰＣ回路の構成を示すブロック図である。
【図８】記録時のレーザパワーの変化とサンプリングタイミングを示す図である。
【図９】ＲＦアンプ部等の詳細を説明するためのブロック図である。
【図１０】ＡＰＣ回路の構成を示すブロック図である。
【図１１】従来の光ピックアップ部の光学系の構成を示す図である。
【符号の説明】
【００９０】
１００・・・ＣＤ−Ｒドライブ、１０１・・・ディスク（ＣＤ−Ｒ）、１０２・・・スピンドルモータ、１０３・・・光ピックアップ部、１０４，１０４Ａ・・・ＡＰＣ回路、１０５・・・ＲＦアンプ部、１０６・・・ＲＦ信号処理回路、１０７・・・タイミング発生回路、１１１・・・ＣＤエンコード／デコード部、１１２・・・ＣＤ−ＲＯＭエンコード／デコード部、１１５・・・ＳＣＳＩ／バッファコントローラ、１２１・・・フォーカス／トラッキングサーボ制御回路、１２２・・・送りサーボ制御回路、１２３・・・スピンドルサーボ制御回路、１２４・・・メカニカルコントローラ、１２５・・・システムコントローラ、１５１・・・レーザダイオード、１５２・・・グレーティング（回折格子）、１５３・・・カップリングレンズ、１５４・・・ビームスプリッタ、１５５・・・対物レンズ、１５６・・・円筒レンズ、１５７・・・フォトディテクタ、１７１・・・ＲＦアンプ、１７２・・・サーボ信号生成回路、２００・・・ＰＤＩＣ、２０１〜２０８・・・光検出部、２１１，２１２・・・加算器、１８１Ｗ，１８１Ｒ・・・サンプルホールド回路、１８２Ｗ，１８２Ｒ・・・反転誤差信号増幅器、１８３Ｗ，１８３Ｒ・・・ループフィルタ
【図１】
2005078751.tif 000003
【図２】
2005078751.tif 000004
【図３】
2005078751.tif 000005
【図４】
2005078751.tif 000006
【図５】
2005078751.tif 000007
【図６】
2005078751.tif 000008
【図７】
2005078751.tif 000009
【図８】
2005078751.tif 000010
【図９】
2005078751.tif 000011
【図１０】
2005078751.tif 000012
【図１１】
2005078751.tif 000013